(57)【要約】      （修正有）【課題】例えば携帯電話などの携帯電子機器の装飾を、模様替え容易な状態で簡便に楽しむことができるようにすると共に、携帯電子機器表面の傷付き保護をも可能にする。【解決手段】携帯電子機器１の外面形状に沿った形状をなすカバー５に模様６を付し、外面に被せて付設する。【選択図】図２
0003106279.tif 000002
【実用新案登録請求の範囲】
【請求項１】
シート体の圧空、真空またはプレス成形品であって、携帯電子機器の外面形状に沿った形状をなし、当該携帯電子機器の外面に被せて付設可能であることを特徴とする携帯電子機器用カバー。
【請求項２】
シート体の圧空、真空またはプレス成形品であって、本体と蓋体をヒンジ部を介して二つ折りにして折り畳むことができる折り畳み式携帯電子機器の蓋体の外面形状に沿った形状をなし、当該蓋体の外面に被せて付設可能であることを特徴とする携帯電子機器用カバー。
【請求項３】
合成樹脂シートの圧空、真空またはプレス成形品であることを特徴とする請求項１または２に記載の携帯電子機器用カバー。
【請求項４】
合成樹脂シートが透明であることを特徴とする請求項３に記載の携帯電子機器用カバー。
【請求項５】
外面側から目視できる模様が付されていることを特徴とする請求項１〜４のいずれか１項に記載の携帯電子機器用カバー。
【請求項６】
請求項１〜５のいずれか１項に記載の携帯電子機器用カバーが外面に被せられて取り外し可能に付設されていることを特徴とするカバー付携帯電子機器。
【請求項７】
カバーの付設が、粘着テープ、両面テープまたはカバー内面に付設された粘着剤を用いて行われていることを特徴とする請求項６に記載のカバー付携帯電子機器。
【考案の詳細な説明】
【技術分野】
【０００１】
本考案は、例えば携帯電話、携帯ゲーム機、電子辞書、電子手帳などの携帯電子機器についての装飾や表面保護を可能にする携帯電子機器用カバーおよび該カバー付携帯電子機器に関する。
【背景技術】
【０００２】
従来、携帯電子機器のうち、携帯電話に用いられるカバーとして、携帯電話全体を収容できる防水カバー本体の一部に、空気を入れて膨らますことができる密閉中空壁を設けたものが知られている（特開２００２−４６１３２号公報）。
【考案の開示】
【考案が解決しようとする課題】
【０００３】
しかしながら、上記従来の携帯電話用カバーは、携帯電話を水や衝撃から保護することを目的としたもので、携帯電話の加飾について考慮されたものとはなっていない。
【０００４】
一方、携帯電話をはじめとする携帯電子機器については、外面にシールを貼ったりペイント模様を付けることで装飾することが行われている。
【０００５】
しかしながら、シールは、きれいに剥がれにくいことから、貼り替えによる模様替えが行いにくく、貼り替えるとかえって携帯電子機器を汚してしまいやすい問題がある。ペイント模様は、一度ペイントしてしまうと落とせないことから、模様替えができない問題がある。また、シールを貼ったりペイント模様を施すことは、場合によっては改造とみなされ、修理を受けられなくなる場合を生じている。さらには、シールやペイント模様では、ほとんど携帯電子機器の傷付きを保護できない問題もある。
【０００６】
本考案は、上記従来の問題点に鑑みてなされたもので、携帯電子機器の装飾を、模様替え容易な状態で簡便に楽しむことができるようにすると共に、携帯電子機器表面の傷付き保護をも可能にすることを目的とする。
【課題を解決するための手段】
【０００７】
本考案は、上記目的のために、シート体の圧空、真空またはプレス成形品であって、携帯電子機器の外面形状に沿った形状をなし、当該携帯電子機器の外面に被せて付設可能であることを特徴とする携帯電子機器用カバー、および、シート体の圧空、真空またはプレス成形品であって、本体と蓋体をヒンジ部を介して二つ折りにして折り畳むことができる折り畳み式携帯電子機器の蓋体の外面形状に沿った形状をなし、当該蓋体の外面に被せて付設可能であることを特徴とする携帯電子機器用カバーを提供するものである
上記本考案に係る携帯電子機器用カバーは、合成樹脂シートの圧空、真空またはプレス成形品であること、
合成樹脂シートが透明であること、
外面側から目視できる模様が付されていること、
をその好ましい態様として含むものである。
【０００８】
また、本考案は、上記いずれかの携帯電子機器用カバーが外面に被せられて取り外し可能に付設されていることを特徴とするカバー付携帯電子機器を提供するものでもある。
【０００９】
上記本考案に係るカバー付携帯電子機器は、カバーの付設が、粘着テープ、両面テープまたはカバー内面に付設された粘着剤を用いて行われていることをその好ましい態様として含むものである。
【考案の効果】
【００１０】
本考案のカバーを携帯電子機器の外面に被せて付設することで、カバー自体の色、カバーに付した模様などによって装飾を楽しむことができる。また、カバーは、携帯電子機器とは別体の成形品であるので、いつでも交換することができ、季節や雰囲気などに応じて交換して、模様替えをすることができると共に、取り外すことで、改造品との誤認も防止することができる。さらに、携帯電子機器の外面がカバーで覆われることになるので、例えば硬い物に擦り付けてしまった場合などにおいても、携帯電子機器自体が傷付くのを防止することができる。
【考案を実施するための最良の形態】
【００１１】
図１は本考案の第１の例に係る携帯電子機器用カバーと該カバー付携帯電子機器（携帯電話）の説明斜視図である。
【００１２】
本例における携帯電子機器１は折り畳み式携帯電話で、蓋体２と本体３がヒンジ部４を介して二つ折り可能に連結されている。
【００１３】
カバー５は、シート体の真空、圧空またはプレス成形品で、携帯電子機器１の蓋体２外面に被せて安定して付設できるよう、携帯電子機器１の蓋体２外面に沿った形状となっている。このカバー５は、携帯電子機器１から直に型取りして作成した成形型を用いて、圧空、真空またはプレス成形することで容易に製造することができる。
【００１４】
シート体としては、例えば合成樹脂シート、紙、合成樹脂と紙の複合シートなどを用いることができる。
【００１５】
カバー５は、着色した不透明なシート体の成形品であってもよいが、後述する模様の色選択が制限されにくいことや、この模様を内面側に付して、模様の傷付き防止を図りやすいことから、透明な合成樹脂シートの成形品であることが好ましい。合成樹脂シートとしては、ポリプロピレン、ポリエチレンテレフタレート、ポリ塩化ビニル、ポリカーボネイトなどのシートを用いることができる。
【００１６】
本例のカバー５は、無地となっている。この無地のカバー５の場合、カバー５に着色を施しておき、色替えを楽しむことの他、シールを貼ったり、ペイント模様を施して楽しむことができる。このペイント模様とは、筆やエアブラシなどを用いて手描きした模様をいう。
【００１７】
携帯電子機器１の蓋体２外面へのカバー５の付設は、蓋体２の外面へカバー５を被せる際に、例えば部分的に粘着テープや両面テープで止めたり、カバー５の内面に弱い粘着剤を付設しておくことで容易に行うことができる。また、粘着テープ、両面テープ、弱い粘着剤などで止めておくことで、付設後に容易に剥離して外すことができる。従って、上記色替えや、シールの貼り替えやペイント模様の変更も、カバー５の交換によって容易に行うことができる。
【００１８】
図２は本考案の第２の例に係る携帯電子機器用カバーと該カバー付携帯電子機器（携帯電話）の説明図で、（ａ）はカバーと携帯電子機器（携帯電話）の分離状態の斜視図、（ｂ）携帯電子機器（携帯電話）にカバーを付設した状態の斜視図であり、図３は本考案の第２の例に係る携帯電子機器用カバー交換時の説明斜視図である。なお、図２および図３において、図１と同じ符号は同様の部材または部位を示す。
【００１９】
本例の携帯電子機器１は、第１の例と同様の折り畳み式携帯電話で、図示されるように、本例のカバー５は、模様６が付されたものとなっている。この模様６は、前記ペイント模様として付すことができる他、印刷模様として付すこともできる。ペイント模様の場合、カバー５として成形した後に描くことになるが、印刷模様を付したカバー５は、予め印刷模様を付したシート体からカバー５を成形することで得ることができる。
【００２０】
模様６を付す場合、外面側から目視できる面に設ければよいが、カバー５を透明とし、カバー５の内面側（蓋体２側）に付しておくことが好ましい。模様６をカバー５の内面側に付しておくと、所持時の擦れによる模様６の傷付きを防止しやすくなる。
【００２１】
カバー５を携帯電子機器１の蓋体２外面に付設すると、図２（ｂ）に示されるように、カバー５と携帯電子機器１の蓋体２とが一体となり、あたかも蓋体２の外面に模様６が付されているかのような状態となり、装飾性を楽しむことができる。
【００２２】
前述のように、カバー５は、容易に蓋体２から取り外すことができるので、図３に示されるように、模様６が付されたカバー５を取り外し、新たに模様６’が付されたカバー５’を付設すれば、模様替えによる全く新たなデザインを楽しむことができる。
【００２３】
図４は本考案の第３の例に係る携帯電子機器用カバーと該カバー付携帯電子機器（携帯電話）の説明斜視図で、図１と同じ符号は同様の部材または部位を示すものである。
【００２４】
本例の携帯電子機器１は、カメラ付の折り畳み式携帯電話で、カバー５は、携帯電子機器１の蓋体２外面に設けられたレンズ部７の位置に対応して、レンズ孔８が開口したものとなっている。カバー５が透明な場合、このレンズ孔８を打ち抜いておかなくても大きな支障はないが、レンズ７の機能低下を防止する上で設けておくことが好ましい。
【００２５】
図５は本考案の第４の例に係る携帯電子機器用カバーと該カバー付携帯電子機器（携帯電話）の説明斜視図で、図１と同じ符号は同様の部材または部位を示すものである。
【００２６】
本例の携帯電子機器１は、蓋体２の外面側にも表示画面９を有する折り畳み式携帯電話で、カバー５は、携帯電子機器１の蓋体２外面に設けられた表示画面９の位置に対応して、表示窓１０が開口したものとなっている。カバー５が透明な場合、表示窓１０を打ち抜いておかなくても大きな支障はないが、表示画面９の見やすさを確実に確保する上で設けておくことが好ましい。
【００２７】
図６は本考案の第５の例に係る携帯電子機器用カバーと該カバー付携帯電子機器（携帯電話）の説明図で、（ａ）はカバーと携帯電子機器（携帯電話）の分離状態の斜視図、（ｂ）携帯電子機器（携帯電話）にカバーを付設した状態の斜視図であり、図１と同じ符号は同様の部材または部位を示すものである。
【００２８】
本例の携帯電子機器１は、一体式携帯電話で、カバー５は、携帯電子機器１の操作部側の外面形状に沿った形状となっている。本例におけるカバー５は、携帯電子機器１の表示画面９の位置に対応して表示窓１０が開口しているが、前記のように、カバー５が透明である場合にはこの表示窓１０の打ち抜きは省略することができる。また、本例のカバー５は、携帯電子機器１を操作するための操作ボタン１１部分をも覆うものとなっている。操作ボタン１１に対応する箇所は打ち抜いておくこともできるが、本例のようにこのような打ち抜きを行わずに操作ボタン１１部分をも覆う場合、カバー５を薄く変形しやすいものとし、この変形能を利用してカバー５上から操作ボタン１１を操作できるようにすることができる。特にカバー５で操作ボタン１１をも覆うと、最も汚れやすい操作ボタン１１周りを保護できる利点がある。
【００２９】
図７は本考案の第６の例に係る携帯電子機器用カバーと該カバー付携帯電子機器（携帯ゲーム機）の説明図で、（ａ）はカバーと携帯電子機器（携帯電話）の分離状態の斜視図、（ｂ）携帯電子機器（携帯電話）にカバーを付設した状態の斜視図であり、図１と同じ符号は同様の部材または部位を示すものである。
【００３０】
本例の携帯電子機器１は、携帯ゲーム機で、携帯電子機器１の操作部側の外面形状に沿った形状となっており、携帯電子機器１の表示画面９の位置に対応して表示窓１０が開口していると共に、操作ボタン１１に対応する位置に操作ボタン孔１２が開口したものとなっている。ただし、表示窓１０の打ち抜きは省略することができ、また操作ボタン孔１２の打ち抜きを省略して、カバー５上から操作ボタン１１を操作するようにしてもよいのは上述の通りである。
【００３１】
図８は本考案の第７の例に係る携帯電子機器用カバーと該カバー付携帯電子機器（携帯ゲーム機、電子辞書または電子手帳）の説明図で、（ａ）はカバーと携帯電子機器（携帯ゲーム機、電子辞書または電子手帳）の分離状態の斜視図、（ｂ）携帯電子機器（携帯ゲーム機、電子辞書または電子手帳）にカバーを付設した状態の斜視図であり、図１と同じ符号は同様の部材または部位を示すものである。
【００３２】
本例の携帯電子機器１は、折り畳み式の携帯ゲーム機、電子辞書または電子手帳で、蓋体２と本体３がヒンジ部４を介して二つ折り可能に連結されている。また、カバー５は、携帯電子機器１の蓋体２外面に沿った形状となっており、携帯電子機器１の蓋体２外面に被せて付設されるものとなっている。本例の携帯ゲーム機、電子辞書または電子手帳に限らず、前述した携帯電話においても、折り畳み式のものは、蓋体２の外面に極端な凹凸が少なく、比較的平坦な面が広いことから、カバー５への模様付が容易で、バラエティーに富んだ模様付けを施しやすい利点がある。
【図面の簡単な説明】
【００３３】
【図１】本考案の第１の例に係る携帯電子機器用カバーと該カバー付携帯電子機器（携帯電話）の説明斜視図である。
【図２】本考案の第２の例に係る携帯電子機器用カバーと該カバー付携帯電子機器（携帯電話）の説明図で、（ａ）はカバーと携帯電子機器（携帯電話）の分離状態の斜視図、（ｂ）携帯電子機器（携帯電話）にカバーを付設した状態の斜視図である。
【図３】本考案の第２の例に係る携帯電子機器用カバー交換時の説明斜視図である。
【図４】本考案の第３の例に係る携帯電子機器用カバーと該カバー付携帯電子機器（携帯電話）の説明斜視図である。
【図５】本考案の第４の例に係る携帯電子機器用カバーと該カバー付携帯電子機器（携帯電話）の説明斜視図である。
【図６】本考案の第５の例に係る携帯電子機器用カバーと該カバー付携帯電子機器（携帯電話）の説明図で、（ａ）はカバーと携帯電子機器（携帯電話）の分離状態の斜視図、（ｂ）携帯電子機器（携帯電話）にカバーを付設した状態の斜視図である。
【図７】本考案の第６の例に係る携帯電子機器用カバーと該カバー付携帯電子機器（携帯ゲーム機）の説明図で、（ａ）はカバーと携帯電子機器（携帯電話）の分離状態の斜視図、（ｂ）携帯電子機器（携帯電話）にカバーを付設した状態の斜視図である。
【図８】本考案の第７の例に係る携帯電子機器用カバーと該カバー付携帯電子機器（携帯ゲーム機、電子辞書または電子手帳）の説明図で、（ａ）はカバーと携帯電子機器（携帯ゲーム機、電子辞書または電子手帳）の分離状態の斜視図、（ｂ）携帯電子機器（携帯ゲーム機、電子辞書または電子手帳）にカバーを付設した状態の斜視図である。
【符号の説明】
【００３４】
１    携帯電子機器（携帯電話、携帯ゲーム機、電子辞書または電子手帳）
２    蓋体
３    本体
４    ヒンジ部
５    カバー
６    模様
７    レンズ部
８    レンズ孔
９    表示画面
１０  表示窓
１１  操作ボタン
１２  操作ボタン孔
【図１】
0003106279.tif 000003
【図２】
0003106279.tif 000004
【図３】
0003106279.tif 000005
【図４】
0003106279.tif 000006
【図５】
0003106279.tif 000007
【図６】
0003106279.tif 000008
【図７】
0003106279.tif 000009
【図８】
0003106279.tif 000010